(57)【要約】【課題】  保護者が子供と一緒に居なくても、子供を安全に生活させることが出来る状況監視システムを、提供する。【解決手段】  或る携帯端末２０を携帯している子供の傍に、その携帯端末について状況監視装置２０内の設定されている，いずれかのタグＩＤを送信する機器（携帯端末２０、ＩＣタグ）を携帯している者が全く存在していない状況が所定時間以上継続した場合、その携帯端末を携帯している子供の名前や保護者の連絡先に関する情報等が状況監視装置２０のディスプレイ上に表示されるように、状況監視システムを構成しておく。【選択図】  図１
2006011949.tif 000002
【特許請求の範囲】
【請求項１】
複数台の携帯端末と状況監視装置とを含む状況監視システムであって、
前記複数台の携帯端末のそれぞれが、
自端末の携帯者を表す携帯者情報を無線送信する携帯者情報送信手段と、
通信可能範囲内に存在する他の各携帯端末の携帯者情報送信手段が送信した携帯者情報を受信するための携帯者情報受信手段と、
前記携帯者情報受信手段を周期的に動作させ、動作させた前記携帯者情報受信手段によって受信された各携帯者情報を含む状況通知情報を前記状況監視装置に対して無線送信する状況通知情報送信手段と
を備えた装置であり、
前記状況監視装置が、
前記複数台の携帯端末のそれぞれに対して、幾つかの携帯者情報を記憶した携帯者情報記憶手段と、
各携帯端末から送信されてくる状況通知情報に基づき、携帯端末毎に、その携帯端末から所定時間内に送信されてきた各状況通知情報に含まれる各携帯者情報が、その携帯端末について前記携帯者情報記憶手段に記憶されているいずれの携帯者情報と一致していないという要警告現象の発生を監視する監視手段と、
前記監視手段により、或る携帯端末について前記要警告現象が発生したことが検出されたときに、当該携帯端末について前記要警告現象が発生したことを示す警告情報を出力する警告情報出力手段と
を備えた装置である
ことを特徴とする状況監視システム。
【請求項２】
コンピュータを携帯端末の携帯者の状況を監視する状況監視装置として機能させるためのプログラムであって、コンピュータに、
前記携帯端末からの、少なくとも該携帯端末の携帯者を表す情報を含む状況通知情報を受信する第一のステップと、
前記携帯端末の通信可能範囲内に存在する他の携帯端末の携帯者を表す情報が、前記状況通知情報に含まれているか否かを判定する第二のステップと、
前記第二のステップにおいて、前記他の携帯端末の携帯者を表す情報が前記状況通知情報に含まれていると判定した場合に、該他の携帯端末の携帯者を表す情報が、予め所定の携帯者を記憶している携帯者情報記憶手段に記憶している携帯者の情報と一致するか否かを判定する第三のステップと、
前記第二のステップにおいて、前記他の携帯端末の携帯者を表す情報が前記状況通知情報に含まれていないと判定した場合、若しくは、前記第三のステップにおいて、前記他の携帯端末の携帯者を表す情報が前記携帯者情報記憶手段に記憶している携帯者の情報と一致しないと判定した場合に、所定の警告情報を出力する第四のステップと
を実行させるための状況監視プログラム。
【請求項３】
自機器の携帯者を示す携帯者情報を無線送信する機能を有する，通信可能範囲内に存在する各種機器から携帯者情報を受信するための携帯者情報受信手段と、
携帯者情報を複数個記憶した携帯者情報記憶手段と、
前記携帯者情報受信手段を周期的に動作させ、動作させた前記携帯者情報受信手段によって所定時間内に受信された各携帯者情報が前記携帯者情報記憶手段に記憶されているいずれの携帯者情報とも異なるという現象の発生を検出したときに、当該現象が発生したことを示す警告情報を予め指定されている装置に対して無線送信する警告情報送信手段と
を備えることを特徴とする携帯端末。
【発明の詳細な説明】
【技術分野】
【０００１】
本発明は、子供を安全に生活させるための携帯端末、状況監視プログラム及び状況監視システムに関する。
【背景技術】
【０００２】
近年、子供（小学生等）が下校途中に一人になったところを狙う犯罪が増えてきている。
【０００３】
保護者（親など）が子供と一緒に下校するようにすれば、そのような犯罪が行われることを防止することが出来る。また、子供との間の距離が所定距離以上となったことが親に通知される技術（例えば、特許文献１参照。）も開発されているので、そのような技術を利用すれば、子供と一緒に下校している保護者が子供から目を離したと隙に、子供に対する犯罪が行われてしまうことも防止できることになる。
【０００４】
しかしながら、毎日、子供と一緒に下校するようにすることは、実際上、困難である。また、保護者が常に子供の傍に居ることが出来ないことも事実である。このため、保護者が子供と一緒に居なくても子供を安全に生活させることが出来る技術が望まれている。
【特許文献１】特開２０００−１１３３４８号公報
【発明の開示】
【発明が解決しようとする課題】
【０００５】
そこで、本発明の課題は、保護者が子供と一緒に居なくても、子供を安全に生活させることが出来る携帯端末、状況監視プログラム及び状況監視システムを、提供することにある。
【課題を解決するための手段】
【０００６】
上記課題を解決するために、本発明では、状況監視システムを、複数台の携帯端末と状況監視装置とを含むシステムであって、各携帯端末が、自端末の携帯者を表す携帯者情報を無線送信する携帯者情報送信手段と、通信可能範囲内に存在する他の各携帯端末の携帯者情報送信手段が送信した携帯者情報を受信するための携帯者情報受信手段と、携帯者情報受信手段を周期的に動作させ、動作させた携帯者情報受信手段によって受信された各携帯者情報を含む状況通知情報を状況監視装置に対して無線送信する状況通知情報送信手段とを備えた装置であり、状況監視装置が、複数台の携帯端末のそれぞれに対して、幾つかの携帯者情報を記憶した携帯者情報記憶手段と、各携帯端末から送信されてくる状況通知情報に基づき、携帯端末毎に、その携帯端末から所定時間内に送信されてきた各状況通知情報に含まれる各携帯者情報が、その携帯端末について携帯者情報記憶手段に記憶されているいずれの携帯者情報と一致していないという要警告現象の発生を監視する監視手段と、監視手段により、或る携帯端末について要警告現象が発生したことが検出されたときに、当該携帯端末について要警告現象が発生したことを示す警告情報を出力する警告情報出力手段とを備えた装置であるシステムとして構成しておく。
【０００７】
このように構成された本発明の状況監視システムでは、或る携帯端末を携帯している者の傍（携帯端末内の携帯者情報受信手段の通信可能範囲内）に、その携帯端末について状況監視装置内の携帯者情報記憶手段に記憶されている，いずれかの携帯者情報を送信する携帯端末を携帯している者が全く存在していない状況が所定時間以上継続した場合、その旨を示す警告情報が状況監視装置から出力されることになる。従って、この状況監視システムを、状況監視装置内の携帯者情報記憶手段に適切な情報を設定し、状況の監視を行う各子供や各子供の保護者に携帯端末を持たせた上で、状況監視装置内の警告情報出力手段の動作が監視者により監視される形で運用すれば、監視者が、子供が犯罪行為の対象となりやすい状況となったことを即座に把握してさまざまな対処を行えることになり、その結果として、保護者が子供と一緒に居なくても、子供を安全に生活させることが出来ることになる。
【０００８】
なお、本発明の状況監視システムを構成する各携帯端末の携帯者情報送信手段は、自端末の携帯者を直接的に表す情報（例えば、携帯者の名前）を携帯者情報として無線送信するものでなくても良い。すなわち、各携帯端末の携帯者情報送信手段は、何らかのデータベースを参照することにより携帯者を直接的に表す情報に変換できる情報を携帯者情報として無線送信する手段であっても良い。
【０００９】
また、本発明の状況監視プログラムは、コンピュータを携帯端末の携帯者の状況を監視する状況監視装置として機能させるためのプログラムであって、コンピュータに、前記携帯端末からの、少なくとも該携帯端末の携帯者を表す情報を含む状況通知情報を受信する第一のステップと、前記携帯端末の通信可能範囲内に存在する他の携帯端末の携帯者を表す情報が、前記状況通知情報に含まれているか否かを判定する第二のステップと、前記第二のステップにおいて、前記他の携帯端末の携帯者を表す情報が前記状況通知情報に含まれていると判定した場合に、該他の携帯端末の携帯者を表す情報が、予め所定の携帯者を記憶している携帯者情報記憶手段に記憶している携帯者の情報と一致するか否かを判定する第三のステップと、前記第二のステップにおいて、前記他の携帯端末の携帯者を表す情報が前記状況通知情報に含まれていないと判定した場合、若しくは、前記第三のステップにおいて、前記他の携帯端末の携帯者を表す情報が前記携帯者情報記憶手段に記憶している携帯者の情報と一致しないと判定した場合に、所定の警告情報を出力する第四のステップとを実行させることが出来るプログラムとして作成される。
【００１０】
すなわち、本発明の状況監視プログラムは、コンピュータを、本発明の状況監視システム内の状況監視装置相当の装置として機能させることが出来るものとなっている。従って、この状況監視プログラムを用いれば、保護者が子供と一緒に居なくても、子供を安全に生活させることが出来ることになる。
【００１１】
そして、本発明の携帯端末は、自機器の携帯者を示す携帯者情報を無線送信する機能を有する，通信可能範囲内に存在する各種機器から携帯者情報を受信するための携帯者情報受信手段と、携帯者情報を複数個記憶した携帯者情報記憶手段と、携帯者情報受信手段を周期的に動作させ、動作させた携帯者情報受信手段によって所定時間内に受信された各携帯者情報が携帯者情報記憶手段に記憶されているいずれの携帯者情報とも異なるという現象の発生を検出したときに、当該現象が発生したことを示す警告情報を予め指定されている装置に対して無線送信する警告情報送信手段とを備える。
【００１２】
すなわち、本発明の携帯端末は、子供（自端末の携帯者）が犯罪行為の対象となりやすい状況となったときに、その旨を示す警告情報を予め指定されている装置に対して無線送信する機能を、有する。従って、この携帯端末を、警告情報送信手段による警告情報（音声メッセージやテキストデータ）の送信先装置として子供の親等の携帯電話等が指定されている状態で運用すれば、親等が、子供が犯罪行為の対象となりやすい状況となったことを即座に把握してさまざまな対処を行えることになり、その結果として、保護者が子供と一緒に居なくても、子供を安全に生活させることが出来ることになる。
【発明の効果】
【００１３】
本発明の携帯端末、状況監視プログラム、状況監視システムを用いれば、保護者が子供と一緒に居なくても、子供を安全に生活させることができる環境を実現することが出来る。
【発明を実施するための最良の形態】
【００１４】
以下、本発明を実施するための最良の形態を、図面を参照して詳細に説明する。
【００１５】
本発明の一実施形態に係る状況監視システムは、複数の子供の下校状況を監視するシステムである。
【００１６】
まず、図１乃至図３を用いて、本実施形態に係る状況監視システムの概要を説明する。
【００１７】
図１に模式的に示してあるように、本実施形態に係る状況監視システムは、インターネットに接続された状況監視装置１０と、当該状況監視装置１０との間でインターネット，パケット網等を介した通信が可能な複数台の携帯端末２０とを、主な構成要素として含むシステムである。また、図示は省略してあるが、状況監視システムは、下校状況を監視する各子供が通っている学校の出入り口（正門、裏門等）に取り付けられた幾つかの下校検出用ＩＣタグ，下校状況を監視する各子供の自宅の玄関等に取り付けられた帰宅検出用ＩＣタグ，下校状況を監視する各子供の保護者に付与される保護者用ＩＣタグも含むシステムとなっている。
【００１８】
この状況監視システムに含まれる下校検出用ＩＣタグ，帰宅検出用ＩＣタグ，保護者用ＩＣタグは、いずれも、ユニークな情報（以下、タグＩＤと表記する）を出力（無線送信）するＩＣタグ（ＲＦＩＤタグとも呼ばれる無線ＩＣチップ）である。
【００１９】
状況監視システムに含まれる各携帯端末２０は、下校状況が監視される各子供が携帯する装置である。具体的なハードウェア構成の説明は省略するが、各携帯端末２０は、インターネットに接続可能な小型のコンピュータ（携帯情報端末）に、ＩＣタグ（携帯者情報送信手段に相当）及びＩＣタグリーダ（携帯者情報受信手段に相当）を組み込んだ上でタグＩＤ情報送信プログラムをインストールした装置となっている。また、各携帯端末２０は、それを携帯する子供の自宅に取り付けられた帰宅検出用ＩＣタグが出力するタグＩＤ（以下、自宅タグＩＤと表記する）と、上記した下校検出用ＩＣタグが出力するタグＩＤ（以下、下校検出用タグＩＤと表記する）と、自端末に取り付けられているＩＣタグが出力するタグＩＤ（以下、自端末タグＩＤと表記する）とが設定されてから、使用される装置となっている。
【００２０】
状況監視装置１０は、ＯＳ（図示せず），状況監視プログラム１１，個人情報データベース１２，安全メンバデータベース１３等がＨＤＤに記憶されているコンピュータである。また、この状況監視装置１０は、そこに表示される情報がオペレータによって監視されるディスプレイを備えたコンピュータとなっている。
【００２１】
状況監視装置１０が備える個人情報データベース１２は、図２に模式的に示したような内容のデータベースである。
【００２２】
すなわち、個人情報データベース１２は、各携帯端末２０については、その携帯端末２０内のＩＣタグが出力するタグＩＤ（図では、"1001001"と"1002001"），その携帯端末２０の携帯者名（携帯端末２０を携帯する子供の名前），その携帯端末２０の携帯者の自宅に取り付けた帰宅検出用ＩＣタグが出力する自宅タグＩＤ，その携帯端末２０の携帯者の保護者（あるいは状況監視装置１０の管理者）が指定した許容時間（用途は後述），その携帯端末２０の携帯者の下校時に所定の現象（詳細は後述）が生じたときにその旨を知らせるべき者の名前や電話番号等からなる連絡先情報，及び，その携帯端末２０の携帯者の保護者のタグＩＤ等からなる備考情報を記憶したデータベースとなっている。
【００２３】
また、個人情報データベース１２は、各保護者用ＩＣタグについては、その保護者用ＩＣタグが出力するタグＩＤ（図では、"1001101"と"1001102"），その保護者用ＩＣタグの携帯者名，その保護者用ＩＣタグの携帯者に関する電話番号等からなる連絡先情報，その保護者用ＩＣタグの携帯者に関連する者が携帯している保護者用ＩＣタグや携帯端末２０内のＩＣタグが出力するタグＩＤ等からなる備考情報を記憶したデータベースとなっている。
【００２４】
安全メンバデータベース１３（携帯者情報記憶手段に相当）は、図３に模式的に示したように、各携帯端末２０について、その携帯端末２０内のＩＣタグが出力するタグＩＤと、複数の安全メンバタグＩＤとを記憶したデータベースである。ここで、安全メンバタグＩＤとは、下校状況が監視される子供（携帯端末２０の携帯者）の保護者が、当該子供の下校時に一緒にいることが望ましい者として指定した者（保護者自身、他の子供、他の子供の保護者）が携帯している携帯端末２０内のＩＣタグ或いは保護者用ＩＣタグが出力するタグＩＤのことである。
【００２５】
以上のことを前提に、以下、本実施形態に係る状況監視システムの構成及び動作を、さらに具体的に説明する。
【００２６】
まず、携帯端末２０の動作（タグＩＤ情報送信プログラムの内容／状況通知情報送信手段としての動作）を説明する。
【００２７】
タグＩＤ情報送信プログラムは、起動されると、携帯端末２０に図４に示した手順の処理を実行させるプログラムとなっている。なお、タグＩＤ情報送信プログラムの起動は、携帯端末２０を所持している子供、或いは、タグＩＤ情報送信プログラムを指定時刻に起動するプログラム（いわゆるタスクスケジューラ）により、行われる。
【００２８】
すなわち、タグＩＤ情報送信プログラムが起動された携帯端末２０は、まず、自端末の周囲（自端末内のＩＣタグリーダの通信可能範囲内）に存在する各ＩＣタグから，タグＩＤを取得（受信）する処理(ステップＳ１０１)を、行う。
【００２９】
次いで、携帯端末２０は、取得した幾つかのタグＩＤの中に、自端末内に設定されている下校検出用タグＩＤと同じタグＩＤが含まれているか否かを判断する(ステップＳ１０２)。そして、携帯端末２０は、取得したタグＩＤの中に下校検出用タグＩＤと同じタグＩＤが含まれていなかった場合(ステップＳ１０２；ＮＯ)には、再び、ステップＳ１０１の処理を行う。
【００３０】
このような処理を繰り返している間に下校検出用タグＩＤと同じタグＩＤを取得できた場合(ステップＳ１０２；ＹＥＳ)、携帯端末２０は、ステップＳ１０３以降の処理を開始する。すなわち、携帯端末２０は、自端末を所持している子供が学校の出入り口付近に至った結果として、学校の出入り口に設けられている下校検出用ＩＣタグが自端末内のＩＣタグリーダの通信可能範囲内に入ったときに、ステップＳ１０３以降の処理を開始する。
【００３１】
そして、ステップＳ１０３以降の処理を開始した携帯端末２０は、まず、自端末をインターネットに接続するための処理(いわゆるダイアルアップ接続処理；ステップＳ１０３)を行う。
【００３２】
次いで、携帯端末２０は、自端末タグＩＤ（自端末内のＩＣタグが出力するタグＩＤ）を送信元タグＩＤとして含むと共に、ステップＳ１０１の処理で取得した，自端末タグＩＤとは異なる各タグＩＤ（以下、非自端末タグＩＤと表記する）を含むタグＩＤ情報を、状況監視装置１０に対して送信する(ステップＳ１０４)。
【００３３】
その後、携帯端末２０は、ステップＳ１０５〜Ｓ１０９のループ処理を開始し、まず、現在時刻に予め設定されている規定時間（本実施形態では、２０秒）を加算した値（時刻情報）を、送信時刻として記憶する(ステップＳ１０５)。次いで、携帯端末２０は、自端末の周囲（自端末内のＩＣタグリーダの通信可能範囲内）に存在する各ＩＣタグから，タグＩＤを取得する(ステップＳ１０６)。
【００３４】
そして、携帯端末２０は、ステップＳ１０６の処理により取得した幾つかのタグＩＤの中に、自端末内に設定されている自宅タグＩＤと同じタグＩＤが含まれているか否かを判断する(ステップＳ１０７)。
【００３５】
取得したタグＩＤの中に自宅タグＩＤが含まれていなかった場合(ステップＳ１０７；ＮＯ)、携帯端末２０は、現在時刻が送信時刻以降の時刻となっているか否かを判断する(ステップＳ１０８)。
【００３６】
そして、携帯端末２０は、現在時刻が送信時刻以降の時刻となっていた場合(ステップＳ１０８；ＹＥＳ)には、自端末タグＩＤを送信元タグＩＤとして含むと共に，ステップＳ１０６の処理により取得した各非自端末タグＩＤを含むタグＩＤ情報を状況監視装置１０に対して送信(ステップＳ１０９)した後に、ステップＳ１０５以降の処理を実行する。一方、現在時刻が送信時刻以降の時刻となっていなかった場合(ステップＳ１０８；ＮＯ)、携帯端末２０は、タグＩＤ情報を状況監視装置１０に対して送信することなく、ステップＳ１０６以降の処理を実行する。
【００３７】
携帯端末２０は、このような内容のループ処理（ステップＳ１０５〜Ｓ１０９）を、自宅タグＩＤと同じタグＩＤを取得できるまで繰り返す。そして、携帯端末２０は、自宅タグＩＤと同じタグＩＤが取得できたとき(ステップＳ１０７；ＹＥＳ)には、自端末タグＩＤを送信元タグＩＤとして含むと共に，直前に実行したステップＳ１０６の処理により取得されている各非自端末タグＩＤを含むタグＩＤ情報を状況監視装置１０に対して送信する処理(ステップＳ１１０)と、インターネットへの接続を切断する処理(ステップＳ１１１)とを行ってから、タグＩＤ情報送信プログラムに従った処理（図４の流れ図の処理）を終了する。
【００３８】
要するに、タグＩＤ情報送信プログラムは、携帯端末２０を、自端末の携帯者が学校の正門や裏門を通ったとき（ステップＳ１０２；ＹＥＳ）に、タグＩＤ情報（自端末の周囲に存在する者を間接的に示すタグＩＤを幾つか含む情報）を状況監視装置１０に対して周期的に送信するためのループ処理（ステップＳ１０３〜Ｓ１０９）を開始する装置であると共に、自端末の携帯者が帰宅したとき（ステップＳ１０７；ＹＥＳ）に、自宅タグＩＤを含むタグＩＤ情報を状況監視装置１０に対して送信（ステップＳ１１０）してから動作を停止する装置として動作させるプログラムとなっている。
【００３９】
次に、上記のような手順で携帯端末２０が送信するタグＩＤ情報を受信した状況監視装置１０の動作（状況監視プログラム１１の内容／監視手段及び警告情報出力手段としての動作）を、説明する。
【００４０】
状況監視プログラム１１は、タグＩＤ情報を受信した状況監視装置１０に、図５に示した手順の処理を実行させるプログラムとなっている。
【００４１】
すなわち、タグＩＤ情報を受信した状況監視装置１０は、まず、受信したタグＩＤ情報（以下、処理対象情報と表記する）に含まれている送信元タグＩＤ（以下、注目タグＩＤと表記する）が、既に監視対象となっている送信元タグＩＤ（図では、監視開始済みタグＩＤ）であるか否かを判断する(ステップＳ２０１)。ここで、“既に監視対象となっている送信元タグＩＤ”とは、状況監視装置１０のＲＡＭ上に、その送信元タグＩＤに関する各種情報（自宅タグＩＤ，許容時間等）が記憶されている送信元タグＩＤ（後述するステップＳ２０２〜Ｓ２０４の処理が既におこなわれている送信元タグＩＤ）のことである。
【００４２】
注目タグＩＤ（処理対象情報中の送信元タグＩＤ）が、未だ監視対象となっていない送信元タグＩＤであった場合(ステップＳ２０１；ＮＯ)、状況監視装置１０は、個人情報データベース１２（図２参照）から、その注目タグＩＤと同じタグＩＤに対応づけられている自宅タグＩＤ，許容時間を読み出し、読み出した自宅タグＩＤ，許容時間を、注目タグＩＤに関する情報としてＲＡＭ上に記憶する処理（ステップＳ２０２）を行う。また、状況監視装置１０は、安全メンバデータベース１３（図３参照）から、注目タグＩＤと同じタグＩＤに対応づけられている各安全メンバタグＩＤを読み出し、読み出した各安全メンバタグＩＤを、注目タグＩＤに関する情報としてＲＡＭ上に記憶する処理（ステップＳ２０３）も行う。以下、これらのステップの処理によりＲＡＭ上に記憶される，注目タグＩＤに関する各種情報のことを、自宅タグＩＤ[注目タグＩＤ]、安全メンバタグＩＤ[注目タグＩＤ]（この情報は、通常、複数個存在する。）といったように、表記する。
【００４３】
そして、状況監視装置１０は、現在時刻を、注目タグＩＤに関する確認時刻（以下、確認時刻[注目タグＩＤ]と表記する）としてＲＡＭ上に記憶(ステップＳ２０４)した後、自宅タグＩＤ[注目タグＩＤ]と同じタグＩＤが処理対象情報に含まれているか否かを判断する(ステップＳ２０５)。また、注目タグＩＤが，既に監視対象となっている注目タグＩＤであった場合(ステップＳ２０１；ＹＥＳ)、状況監視装置１０は、ステップＳ２０２〜Ｓ２０４の処理を行うことなく、このステップＳ２０５の処理（判断）を行う。
【００４４】
そして、状況監視装置１０は、自宅タグＩＤ[注目タグＩＤ]と同じタグＩＤが処理対象情報に含まれていた場合（ステップＳ２０５；ＹＥＳ）には、注目タグＩＤに関する各種情報をＲＡＭ上から消去する処理(ステップＳ２０６)を行ってから、処理対象情報（今回、受信したタグＩＤ情報）に対する処理を終了する。要するに、この場合、注目タグＩＤを送信する携帯端末２０の携帯者の帰宅が確認できたことになるので、状況監視装置１０は、不要となった，注目タグＩＤに関する各種情報をＲＡＭ上から消去してから、処理を終了する。
【００４５】
一方、自宅タグＩＤ[注目タグＩＤ]と同じタグＩＤが処理対象情報に含まれていなかった場合（ステップＳ２０５；ＮＯ）、状況監視装置１０は、ＲＡＭ上のいずれかの安全メンバタグＩＤ[注目タグＩＤ]と同じタグＩＤが処理対象情報に含まれているか否かを判断する(ステップＳ２０７)。そして、状況監視装置１０は、ＲＡＭ上のいずれかの安全メンバタグＩＤ[注目タグＩＤ]と同じタグＩＤが処理対象情報に含まれていた場合(ステップＳ２０７；ＹＥＳ)には、ＲＡＭ上の確認時刻[注目タグＩＤ]を現在時刻に変更(ステップＳ２０８)してから、処理対象情報に対する処理を終了する。
【００４６】
一方、処理対象情報中の各タグＩＤがＲＡＭ上のいずれの安全メンバタグＩＤ[注目タグＩＤ]とも異なっていた場合(ステップＳ２０７；ＮＯ)、状況監視装置１０は、確認時刻[注目タグＩＤ]が示している時刻からの経過時間が、許容時間[注目タグＩＤ]が示している時間以上となったか否かを判断する(ステップＳ２０９)。要するに、状況監視装置１０は、現在時刻≧確認時刻[注目タグＩＤ]＋許容時間[注目タグＩＤ]が成立しているか否かを判断する。
【００４７】
そして、状況監視装置１０は、確認時刻[注目タグＩＤ]が示している時刻からの経過時間が、許容時間[注目タグＩＤ]が示している時間以上となっていなかった場合(ステップＳ２０９；ＮＯ)には、処理対象情報に対する処理を終了する。一方、確認時刻[注目タグＩＤ]が示している時刻からの経過時間が、許容時間[注目タグＩＤ]が示している時間以上となっていた場合(ステップＳ２０９；ＹＥＳ)、状況監視装置１０は、個人情報データベース１２から、注目タグＩＤに対応づけられている携帯者名、連絡先情報等を読み出し、読み出した情報を、犯罪行為の対象となりやすい状況となった子供に関する情報として、ディスプレイ上に表示する(ステップＳ２１０)。また、このステップＳ２１０において、状況監視装置１０は、所定パターンのアラームを鳴らす処理も行う。そして、ステップＳ２１０の処理を行った状況監視装置１０は、処理対象情報に対する処理を終了する。
【００４８】
以上の説明から明らかなように、本実施形態に係る状況監視システムは、或る携帯端末２０を携帯している者の傍（携帯端末２０内のＩＣタグリーダの通信可能範囲内）に、その携帯端末２０について設定されている安全メンバタグＩＤを送信する携帯端末２０／保護者用ＩＣタグを携帯している者が全く存在していないという状況（つまり、その携帯端末２０を携帯している子供が犯罪行為の対象となりやすい状況）が、その携帯端末２０について設定されている許容時間以上継続したときに、その旨を示す情報が状況監視装置１０のディスプレイ上に表示されるシステムとなっている。そして、状況監視装置１０のディスプレイがオペレータによって監視されているので、状況監視装置１０のオペレータは、或る子供が犯罪行為の対象となりやすい状況となった場合、そのことを即座に把握してさまざまな対処（例えば、保護者への連絡や警備員の派遣）を行うことが出来ることになる。そして、その結果として、保護者が子供と一緒に居なくても、子供を安全に生活させることが出来ることになる。
【００４９】
＜変形形態＞
上記した実施形態に係る状況監視システムは、各種の変形を行うことが出来る。例えば、上記した状況監視システムは、いわゆる携帯情報端末が携帯端末２０として用いられたシステムであったが、状況監視システムを、携帯電話が携帯端末２０として用いられたシステム（電話会社が運営する装置に、状況監視装置１０の機能が付与されたシステム）に変形しても良い。また、各携帯端末２０を、下校時以外にもタグＩＤ情報を送信する装置（例えば、常時、周期的にタグＩＤ情報を送信する装置や、携帯者が戸外にいる場合だけに、周期的にタグＩＤ情報を送信する装置）に変形しておいても良い。
【００５０】
また、携帯端末２０に、状況監視装置１０としての機能を付加しておいても良い。すなわち、上記した状況監視システムで用いられている技術に基づき、幾つかの安全メンバタグＩＤ、警告情報の送信先を指定する情報（携帯電話の電話番号やメールアドレス）、及び、許容時間を設定できる携帯装置であって、設定されている安全メンバタグＩＤと同じタグＩＤを許容時間以上受信できなかった場合、指定されている送信先に警告情報を送信する携帯端末を実現しても良い。
【００５１】
また、許容時間を個別に設定できないように状況監視装置１０を変形しても良いことや、規定時間（図４：ステップＳ１０５参照）を設定できるように携帯端末２０を変形しても良いことなどは、当然のことである。
【００５２】
（付記１）  複数台の携帯端末と状況監視装置とを含む状況監視システムであって、
前記複数台の携帯端末のそれぞれが、
自端末の携帯者を表す携帯者情報を無線送信する携帯者情報送信手段と、
通信可能範囲内に存在する他の各携帯端末の携帯者情報送信手段が送信した携帯者情報を受信するための携帯者情報受信手段と、
前記携帯者情報受信手段を周期的に動作させ、動作させた前記携帯者情報受信手段によって受信された各携帯者情報を含む状況通知情報を前記状況監視装置に対して無線送信する状況通知情報送信手段と
を備えた装置であり、
前記状況監視装置が、
前記複数台の携帯端末のそれぞれに対して、幾つかの携帯者情報を記憶した携帯者情報記憶手段と、
各携帯端末から送信されてくる状況通知情報に基づき、携帯端末毎に、その携帯端末から所定時間内に送信されてきた各状況通知情報に含まれる各携帯者情報が、その携帯端末について前記携帯者情報記憶手段に記憶されているいずれの携帯者情報と一致していないという要警告現象の発生を監視する監視手段と、
前記監視手段により、或る携帯端末について前記要警告現象が発生したことが検出されたときに、当該携帯端末について前記要警告現象が発生したことを示す警告情報を出力する警告情報出力手段と
を備えた装置である
ことを特徴とする状況監視システム。
【００５３】
（付記２）  前記複数台の携帯端末がそれぞれ備える前記携帯者情報送信手段が、
自身に設定されている情報を前記携帯者情報として無線送信するＩＣタグであり、
前記複数台の携帯端末がそれぞれ備える前記携帯者情報受信手段が、
通信可能範囲内に存在する他の各携帯端末の携帯者情報送信手段が送信した携帯者情報と、通信可能範囲内に存在する，前記携帯端末の前記携帯者情報送信手段とは異なる各ＩＣタグが送信した携帯者情報とを受信する手段である
ことを特徴とする付記１記載の状況監視システム。
【００５４】
（付記３）  コンピュータを携帯端末の携帯者の状況を監視する状況監視装置として機能させるためのプログラムであって、コンピュータに、
前記携帯端末からの、少なくとも該携帯端末の携帯者を表す情報を含む状況通知情報を受信する第一のステップと、
前記携帯端末の通信可能範囲内に存在する他の携帯端末の携帯者を表す情報が、前記状況通知情報に含まれているか否かを判定する第二のステップと、
前記第二のステップにおいて、前記他の携帯端末の携帯者を表す情報が前記状況通知情報に含まれていると判定した場合に、該他の携帯端末の携帯者を表す情報が、予め所定の携帯者を記憶している携帯者情報記憶手段に記憶している携帯者の情報と一致するか否かを判定する第三のステップと、
前記第二のステップにおいて、前記他の携帯端末の携帯者を表す情報が前記状況通知情報に含まれていないと判定した場合、若しくは、前記第三のステップにおいて、前記他の携帯端末の携帯者を表す情報が前記携帯者情報記憶手段に記憶している携帯者の情報と一致しないと判定した場合に、所定の警告情報を出力する第四のステップと
を実行させるための状況監視プログラム。
【００５５】
（付記４）  自機器の携帯者を示す携帯者情報を無線送信する機能を有する，通信可能範囲内に存在する各種機器から携帯者情報を受信するための携帯者情報受信手段と、
携帯者情報を複数個記憶した携帯者情報記憶手段と、
前記携帯者情報受信手段を周期的に動作させ、動作させた前記携帯者情報受信手段によって所定時間内に受信された各携帯者情報が前記携帯者情報記憶手段に記憶されているいずれの携帯者情報とも異なるという現象の発生を検出したときに、当該現象が発生したことを示す警告情報を予め指定されている装置に対して無線送信する警告情報送信手段と
を備えることを特徴とする携帯端末。
【００５６】
（付記５）  前記複数台の携帯端末がそれぞれが備える前記状況通知情報送信手段が、
前記携帯者情報受信手段によって所定内容の情報が受信されたときに、前記状況通知情報を前記状況監視装置に対して無線送信する処理を開始する手段である
ことを特徴とする付記１記載の状況監視システム。
【図面の簡単な説明】
【００５７】
【図１】本発明の一実施形態に係る状況監視システムの構成図である。
【図２】実施形態に係る状況監視システムに含まれる状況監視装置が備える個人情報データベースの説明図である。
【図３】実施形態に係る状況監視システムに含まれる状況監視装置が備える安全メンバデータベースの説明図である。
【図４】実施形態に係る状況監視システムに含まれる携帯端末が実行する処理の流れ図である。
【図５】実施形態に係る状況監視システムに含まれる状況監視装置がタグＩＤ情報受信時に実行する処理の流れ図である。
【符号の説明】
【００５８】
１０  状況監視装置
１１  状況監視プログラム
１２  個人情報データベース
１３  安全メンバデータベース
２０  携帯端末
【図１】
2006011949.tif 000003
【図２】
2006011949.tif 000004
【図３】
2006011949.tif 000005
【図４】
2006011949.tif 000006
【図５】
2006011949.tif 000007